(57)【特許請求の範囲】
【請求項１】
取り出し用釦と、取り出し用レバーと、記録媒体装置用収納部及び記録媒体装置用コネクターが設けられ、機器本体に接続可能なカード型接続アダプターと、
先端部に該記録媒体装置用コネクターに対応する端子部が設けられると共に側面に凹部が設けられ、該カード型接続アダプターに着脱可能に装着される記録媒体装置と、
により構成される記録媒体装置の取り出し構造であって；
該取り出し用釦は、該記録媒体装置を該カード型接続アダプターに装着すると、該カード型接続アダプターの端面から突出し、
該取り出し用釦を押すことによって、該取り出し用レバーの先端部が該カード型接続アダプターに装着された該記録媒体装置の側面に設けられた該凹部にはまり込んで該記録媒体装置を押し上げ、該記録媒体装置を取り出すことを特徴とする記録媒体装置の取り出し構造。
【請求項２】
請求項１に記載した記録媒体装置の取り出し構造において、
該カード型接続アダプターの該取り出し用レバーは、弾性体により付勢される先端部が突出した回転可能な第１レバーと、該第１レバーと一端部において接触し、他端部に該取り出し用釦が設けられる第２レバーからなり、
該第２レバーからの押圧力を受けた該第１レバーの先端部が該カード型接続アダプターに装着された該記録媒体装置の該凹部にはまり込んで該記録媒体装置を押し上げることにより、該記録媒体装置を取り出すことを特徴とする記録媒体装置の取り出し構造。
【請求項３】
請求項１又は２に記載した記録媒体装置の取り出し構造において、
該カード型接続アダプターの該記録媒体装置を挿入するための挿入口は、切欠き部を有することを特徴とする記録媒体装置の取り出し構造。
【請求項４】
先端部に端子部が設けられると共に側面に凹部が設けられた記録媒体装置が着脱可能に装着され、機器本体に接続可能なカード型接続アダプターであって；
該記録媒体装置が収納される記録媒体装置用収納部と、
該記録媒体装置の端子部が接続される記録媒体装置用コネクターと、
該記録媒体装置が装着された状態で外部に突出する取り出し用釦と、
弾性体により付勢され、先端部が該記録媒体装置の側面に設けられた該凹部に係合する取り出し用レバーと、を備え、
外部に突出した該取り出し用釦を押すことによって、該取り出し用レバーの先端部が該記録媒体装置の側面に設けられた該凹部にはまり込んで該記録媒体装置を押し上げ、該記録媒体装置を取り出すことを特徴とするカード型接続アダプター。
【発明の詳細な説明】
【０００１】
【発明の属する技術分野】
本発明は、記録媒体装置が装着されるべき機器本体又はアダプター上にあるプリント基板のマウント面積を増大させることができ、該記録媒体装置が装着されるべき機器本体又はアダプターのコンパクト化を図ることができる記録媒体装置の取り出し構造に関する。
【０００２】
【従来の技術】
パーソナルコンピュータ（以下、「パソコン」と略する）や映像表示装置等の機器には、例えばメモリースティック等の記録媒体装置が、着脱可能に取り付けられるものがある。
【０００３】
図８（１）（２）は、従来の記録媒体装置１０の取り出し構造を示す平面図である。記録媒体装置１０は、記録媒体本体１と、この記録媒体本体１が格納された筐体２と、記録媒体本体１及び筐体２をパソコン等の機器又は該機器に接続されるアダプターに装着するためのコネクター３とを有する。コネクター３には、該機器に取り付けられた記録媒体装置１０を取り出すための取り出し機構４が設けられている。
【０００４】
記録媒体装置１０は、例えば図示せぬアダプターに設けられる収納部に取り付けられたコネクター３に挿入され、装着される。記録媒体装置１０を取り出す場合、図８（２）に示されるように取り出し機構４に設けられる釦５を手動により押す。すると、コネクター３の下面に突設されている凸部６が、上方に動く。凸部６が上方に移動することにより記録媒体装置１０が上方に押し上げられる。こうして、記録媒体装置１０が図示せぬ該アダプターから取り出される。
【０００５】
【発明が解決しようとする課題】
上記従来の記録媒体装置を取り出す構造では、該記録媒体装置が挿入されるコネクター自体に取り出し機構を設けている。そのため、該コネクターに該取り出し機構を設けるためのスペースが必要となり、該コネクターの外形が大きくなってしまうので、製品のコンパクト化が図れない。
また、該コネクターがアダプター等のプリント基板に挿着される場合、取り出し機構が設けられている部分のスペースがとられるため、アダプター上にあるプリント基板のマウント面積が減少してしまう。
【０００６】
本発明は上記のような事情を考慮してなされたものであり、その目的は、記録媒体装置が装着されるべきアダプター上にあるプリント基板のマウント面積を増大させることができ、該記録媒体装置が装着されるべきアダプターのコンパクト化を図ることができる記録媒体装置の取り出し構造を提供することにある。
【０００７】
【課題を解決するための手段】
上記課題を解決するため、本発明に係る記録媒体装置の取り出し構造は、取り出し用釦と、取り出し用レバーと、記録媒体装置用収納部及び記録媒体装置用コネクターが設けられ、機器本体に接続可能なカード型接続アダプターと、先端部に記録媒体装置用コネクターに対応する端子部が設けられると共に側面に凹部が設けられ、カード型接続アダプターに着脱可能に装着される記録媒体装置と、により構成される記録媒体装置の取り出し構造であって；取り出し用釦は、記録媒体装置をカード型接続アダプターに装着すると、カード型接続アダプターの端面から突出し、取り出し用釦を押すことによって、取り出し用レバーの先端部がカード型接続アダプターに装着された記録媒体装置の側面に設けられた凹部にはまり込んで記録媒体装置を押し上げ、記録媒体装置を取り出すことを特徴とする。
【０００８】
また、本発明に係る記録媒体装置の取り出し構造は、カード型接続アダプターの取り出し用レバーは、弾性体により付勢される先端部が突出した回転可能な第１レバーと、第１レバーと一端部において接触し、他端部に取り出し用釦が設けられる第２レバーからなり、第２レバーからの押圧力を受けた第１レバーの先端部がカード型接続アダプターに装着された記録媒体装置の凹部にはまり込んで記録媒体装置を押し上げることにより、記録媒体装置を取り出すことを特徴とする。
【０００９】
カード型接続アダプターに設けられた第１レバーが該凹部にはまり込んで、該記録媒体装置を押し上げることにより、該記録媒体装置が取り出される。したがって、該記録媒体装置を装着するためにカード型接続アダプターに取り付けられるコネクター自身には、該記録媒体装置を取り出すための複雑な機構を設ける必要がなくなる。よって、該コネクターの外形を小さくできるので、製品のコンパクト化を図れる。
【００１０】
さらに、該コネクターの外形を小さくできるので、カード型接続アダプター上にあるプリント基板が該コネクターにより覆われる面積が小さくなる。よって、該プリント基板のマウント面積を増大させることができる。
【００１１】
また、本発明の記録媒体装置の取り出し構造は、カード型接続アダプターの記録媒体装置を挿入するための挿入口は、切欠き部を有することを特徴とする。
【００１２】
また、本発明のカード型接続アダプターは、先端部に端子部が設けられると共に側面に凹部が設けられた記録媒体装置が着脱可能に装着され、機器本体に接続可能なカード型接続アダプターであって；記録媒体装置が収納される記録媒体装置用収納部と、記録媒体装置の端子部が接続される記録媒体装置用コネクターと、記録媒体装置が装着された状態で外部に突出する取り出し用釦と、弾性体により付勢され、先端部が記録媒体装置の側面に設けられた凹部に係合する取り出し用レバーと、を備え、外部に突出した取り出し用釦を押すことによって、取り出し用レバーの先端部が記録媒体装置の側面に設けられた凹部にはまり込んで記録媒体装置を押し上げ、記録媒体装置を取り出すことを特徴とする。
【００１３】
【発明の実施の形態】
以下、図面を参照して本発明の一実施の形態について説明する。
図１は、本発明の記録媒体装置の取り出し構造を示す平面図である。該記録媒体装置の取り出し構造は、アダプター２１と、記録媒体装置（メモリースティック）２０により構成される。図１では、アダプター２１のフレームに装着された記録媒体装置２０を取り出す途中の状態が示されている。記録媒体装置２０は、記録媒体本体１９と、この記録媒体本体１９を格納した筐体２２とを具備して成る。記録媒体装置２０は、アダプター２１に着脱可能に装着される。そのため、筐体２２の側面２２ａには、記録媒体装置２０をアダプター２１から取り外すための凹部２３が設けられている。
【００１４】
一方、アダプター２１は、例えばカード形の接続アダプターであり、記録媒体装置２０を図示せぬパソコン等の機器本体に接続するために用いられる。具体的には、この記録媒体装置２０がアダプター２１の収納部２１ａに装着され、さらにアダプター２１が図示せぬパソコン等の機器本体に接続される。これにより、アダプター２１が図示せぬ該機器本体に取り付けられる。アダプター２１には、蓋体２８と、蓋体２８下に設置される第１レバー２４と、一端部２５ａにおいて第１レバー２４と接触している第２レバー２５とが設けられている。蓋体２８には、凸部２８ａが形成されている。この凸部２８ａは、例えばＡＢＳ樹脂（アクリロニトリル・ブタジエン・スチレン樹脂）のようなプラスチック等の弾性変形可能な部材で形成される。
【００１５】
第１レバー２４は、全体として略円形平板に形成される。この略円形平板の外周部には、凸部２４ａが設けられている。凸部２４ａは、蓋体２８の凸部２８ａと接触することができる。さらに、第１レバー２４の先端部２４ｂは、凸形状に飛び出している。図１のように、記録媒体装置２０がアダプター２１から取り出される途中の状態においては、この先端部２４ｂが記録媒体装置２０の凹部２３にはまり込んでいる。また、第１レバー２４の略円形平板の下部２４ｄは、例えばバネ２６により付勢されている。さらに、第１レバー２４の略円形平板には、凹部２４ｃが設けられている。第１レバー２４は、この凹部２４ｃにおいて、第２レバー２５の一端部２５ａと接触する。つまり、第２レバー２５は棒状に形成されており、その一端部２５ａが第１レバー２４の凹部２４ｃにはまり込むことにより、第１レバー２４と接触している。
【００１６】
第２レバー２５の他端部２５ｂは、アダプター２１の外周部を構成するフレーム２７の端面２７ａまで伸びている。この他端部２５ｂの先端には、釦２９が形成されている。なお、本実施の形態では釦２９が形成されているが、該釦２９は必ずしも形成されていなくても良い。
【００１７】
記録媒体装置２０をアダプター２１に装着した状態において、図１に示すアダプター２１の平面図を裏側から見た状態を図２に示す。図２では、フレーム２７の上から、さらに例えば金属板の蓋体３２をかぶせた状態である。
【００１８】
次に、記録媒体装置２０をアダプター２１から取り出す動作方法について説明する。
図３には、記録媒体装置２０がアダプター２１に挿入され始めた状態が示される。この状態では、第１レバー２４の先端部２４ｂと記録媒体装置２０の側面２２ａの下端部２２ｂとが当接する。第１レバー２４は、バネ２６の付勢力により、図示されるような所定位置（以下、この状態を「初期位置」という）に停止している。この初期位置では、第１レバー２４の先端部２４ｂは水平よりもやや上方に向けられ、蓋体２８から飛び出した状態で位置決めされている。このとき、バネ２６は、上下方向に平行に配置されている。また、該初期位置では、第１レバー２４の凸部２４ａは、蓋体２８の凸部２８ａよりも紙面右側に位置している。そして、第１レバー２４と接触している第２レバー２５に設けられた釦２９は、その上端２９ａがフレーム２７の端面２７ａと同じ高さにある。
【００１９】
次に、図４に示されるように、記録媒体装置２０をアダプター２１内に挿入していく。記録媒体装置２０が挿入されるにつれて、第１レバー２４の先端部２４ｂが記録媒体装置２０の筐体２２の側面２２ａに沿って摺動しつつ、下方に引き込まれる。その結果、第１レバー２４が矢印３０で示される方向に回転する。それに伴って凸部２４ａも矢印３０の方向に回転し、筐体２８の凸部２８ａと接触し、さらにはこの凸部２８ａを押圧する。この押圧により凸部２８ａが弾性変形する。こうして、凸部２８ａの右側に位置していた第１レバー２４の凸部２４ａは、凸部２８ａを押圧変形させながら乗り越え、その左側に位置する。
また、それと同時に、第１レバー２４の凹部２４ｃも矢印３０の方向に回転するので、凹部２４ｃにおいて接触している第２レバー２５は、該初期位置よりも上方へ移動する。その結果、釦２９の上端２９ａは、フレームの端面２７ａよりも突出する。
【００２０】
図５に示されるように、記録媒体装置２０がアダプター２１内に装着されると、先端部２４ｂが下方に引き込まれていた第１レバー２４は、バネ２６の付勢力により初期位置に引き戻されようとする。このため、先端部２４ｂは、再び上方に持ち上げられる。このとき、第１レバー２４の凸部２４ａが蓋体２８の凸部２８ａに当接することにより、第１レバー２４が初期位置まで引き戻されようとする力が規制される。そして、第１レバー２４の先端部２４ｂが記録媒体装置２０の筐体２２に設けられる凹部２３にはまり込む。
【００２１】
記録媒体装置２０をアダプター２１から取り出す場合は、釦２９を押して、図６に示されるように、釦２９の上端２９ａがフレーム２７の端面２７ａと同じ高さにする。すると、第２レバー２５が下方へ移動し、第２レバー２５と接触している第１レバー２４は、矢印３１で示される方向に回転する。これに伴って第１レバー２４の先端部２４ｂが上方に持ち上げられ、この先端部２４ｂにより、記録媒体装置２０が上方に押し上げられる。押し上げられた記録媒体装置２０の一部が、アダプター２１のフレーム２７位置よりも外側に突出する。
なお、この状態では、まだ第１レバー２４の先端部２４ｂは、記録媒体装置２０の凹部２３にはまっている。
【００２２】
図７に示されるように、突出した記録媒体装置２０を図示せぬ手で引き抜く。すると、第１レバー２４の先端部２４ｂが、記録媒体装置２０の凹部２３から外れ、筐体２２の側面２２ａに沿って逃げる。記録媒体装置２０が完全にアダプター２１から取り出されると、第１レバー２４は、バネ２６の付勢力により、図３に示されるような初期位置にもどされる。
【００２３】
上記実施の形態によれば、アダプター２１に設けられた第１レバー２４が記録媒体装置２０に設けられる凹部２３にはまり込んで、記録媒体装置２０を押し上げることにより、記録媒体装置２０が取り出される。したがって、記録媒体装置２０を挿着する図示せぬコネクター自身には、記録媒体装置２０を取り出すための機構を設ける必要がなくなる。その結果、アダプター２１の外形寸法を小さくすることができ、製品のコンパクト化が図られる。
【００２４】
さらに、図示せぬコネクターの外形寸法を小さくできるので、図示せぬコネクターがアダプター２１上にあるプリント基板を覆う面積を小さくできる。つまり、該プリント基板のマウント面積を増大させることができる。
【００２５】
また、本発明の取り出し構造を有する記録媒体装置２０及びアダプター２１を例えばパソコンや映像表示機器に接続する。これにより、従来には無い取り出し機構を有する新しい商品を提供することができる。
【００２６】
尚、上記実施の形態では、蓋体２８の凸部２８ａは弾性変形可能な部材で形成されたが、凸部２８ａが設けられている部材全体をバネやゴム等の弾性体により付勢し、この付勢力により移動可能とすることにしてもよい。
【００２７】
また、アダプター２１として、パソコン接続用の変換アダプターであるＰＣ（パソコン）カードアダプターが用いられたが、これに限られない。例えば、ゲーム機用のアダプターに用いられてもよい。
【００２８】
また、記録媒体装置２０が例えばゲーム機やパソコン等の機器本体に直接装着されてもよい。この場合、本実施の形態でアダプター２１に設けられている記録媒体装置２０の取り出し構造は、これらの機器に設けられる。
【００２９】
また、アダプター２１に設けられる弾性体としてバネ２６が用いられたが、ゴムやその他の付勢力を有する部材であればよい。
【００３０】
【発明の効果】
以上説明したように本発明によれば、コネクターの外形寸法を小さくして記録媒体装置が装着されるべきカード型接続アダプター等の製品のコンパクト化を図るとともに、該記録媒体装置が装着されるべきカード型接続アダプター上にあるプリント基板のマウント面積を増大させることができる。
【図面の簡単な説明】
【図１】本発明の記録媒体装置２０の取り出し構造を示す平面図である。
【図２】記録媒体装置２１が装着されたアダプター２１の裏側から見た平面図である。
【図３】記録媒体装置２０を取り出す動作状態を示す平面図である。
【図４】記録媒体装置２０を取り出す動作状態を示す平面図である。
【図５】記録媒体装置２０を取り出す動作状態を示す平面図である。
【図６】記録媒体装置２０を取り出す動作状態を示す平面図である。
【図７】記録媒体装置２０を取り出す動作状態を示す平面図である。
【図８】従来の記録媒体装置の取り出し構造を示す平面図である。
【符号の説明】
１…記録媒体本体，２…筐体，３…コネクター，４…取り出し機構，５…釦，６…凸部，１９…記録媒体本体，１０，２０…記録媒体装置，２１…アダプター，２１ａ…収納部，２２…筐体，２２ａ…側面，２２ｂ…下端部，２３…凹部，２４…第１レバー，２４ａ…凸部，２４ｂ…先端部，２４ｃ…凹部，２４ｄ…下部，２５…第２レバー，２５ａ…一端部，２５ｂ…他端部，２６…バネ，２７…フレーム，２７ａ…端面，２８，３２…蓋体，２８ａ…凸部，２９…釦，２９ａ…上端，３０，３１…矢印，３２…蓋体。
【図１】
0004193231.tif 000002
【図２】
0004193231.tif 000003
【図３】
0004193231.tif 000004
【図４】
0004193231.tif 000005
【図５】
0004193231.tif 000006
【図６】
0004193231.tif 000007
【図７】
0004193231.tif 000008
【図８】
0004193231.tif 000009